(57)【要約】【課題】  喫煙時に喫煙に関する情報を喫煙者に的確に提示できるようにする。【解決手段】  タバコ１の先端付近にＲＦ−ＩＤタグ３を取り付けるとともに、フィルタ２にＲＦ−ＩＤタグ４を取り付け、ライター１１に設けられたＲＦ−ＩＤタグリーダ１３にてＲＦ−ＩＤタグ３、４と通信を行うことにより、喫煙開始を判断するとともに、喫煙者の喫煙に関するデータや健康に関するデータを液晶表示部１６に表示させる。【選択図】      図３
2005198538.tif 000002
【特許請求の範囲】
【請求項１】
タバコに関する情報が登録されたＲＦ−ＩＤタグが少なくとも先端の近傍に取り付けられていることを特徴とするタバコ。
【請求項２】
先端または先端の近傍に取り付けられ、タバコに関する情報が登録された第１のＲＦ−ＩＤタグと、
前記第１のＲＦ−ＩＤタグから長手方向に間隔を空けて取り付けられ、前記タバコに関する情報が登録された第２のＲＦ−ＩＤタグとを備えることを特徴とするタバコ。
【請求項３】
タバコに着火する着火部と、
前記着火部の起動状態に基づいてＲＦ−ＩＤタグの情報を読み取るＲＦ−ＩＤタグリーダと、
前記ＲＦ−ＩＤタグリーダにより読み取られた情報を表示する表示部とを備えることを特徴とするライター。
【請求項４】
前記ＲＦ−ＩＤタグの情報の読み取りが可能かどうかの判定結果に基づいて、前記表示部に表示される情報を制御する制御部を備えることを特徴とする請求項３記載のライター。
【請求項５】
タバコに着火する着火部と、
前記着火部の起動に基づいてＲＦ−ＩＤタグの情報を読み取るＲＦ−ＩＤタグリーダと、
前記ＲＦ−ＩＤタグリーダにより読み取られた情報を転送する無線通信部とを備えることを特徴とするライター。
【請求項６】
前記ＲＦ−ＩＤタグの情報の読み取りが可能かどうかの判定結果に基づいて、前記無線通信部により転送される情報を制御する制御部を備えることを特徴とする請求項５記載のライター。
【請求項７】
タバコに関する情報を書き込み可能なＲＦ−ＩＤタグが取り付けられていることを特徴とするシガレットホルダ。
【請求項８】
タバコの先端に取り付けられ、前記タバコに関する情報が登録された第１のＲＦ−ＩＤタグと、
前記タバコの後端近傍またはフィルタ部分に取り付けられ、前記タバコに関する情報が登録された第２のＲＦ−ＩＤタグと、
前記第１のＲＦ−ＩＤタグとの通信状態に基づいて前記タバコの喫煙開始を判定する制御部と、
前記喫煙開始と判定された時に、前記第２のＲＦ−ＩＤタグから読み取られた情報に基づいて喫煙情報を提示する提示部とを備えることを特徴とする喫煙情報提示システム。
【請求項９】
タバコの先端に取り付けられ、前記タバコに関する情報が登録された第１のＲＦ−ＩＤタグと、
前記タバコの後端近傍またはフィルタ部分に取り付けられ、前記タバコに関する情報が登録された第２のＲＦ−ＩＤタグと、
前記第１のＲＦ−ＩＤタグとの通信状態に基づいて前記タバコの喫煙開始を判定する制御部と、
前記喫煙開始と判定された時に、前記第２のＲＦ−ＩＤタグから読み取られた情報を無線通信により転送する転送部と、
前記転送部から転送された情報に基づいて喫煙情報を提示する提示部とを備えることを特徴とする喫煙情報提示システム。
【請求項１０】
タバコに関する情報を登録可能なＲＦ−ＩＤタグが取り付けられたシガレットホルダと、
着火時に前記ＲＦ−ＩＤタグから取得したタバコに関する情報を表示可能なライターとを備えることを特徴とする喫煙情報提示システム。
【発明の詳細な説明】
【技術分野】
【０００１】
本発明はタバコ、ライター、シガレットホルダおよび喫煙情報提示システムに関し、特に、ＲＦ−ＩＤ（Ｒａｄｉｏ  Ｆｒｅｑｕｅｎｃｙ  Ｉｄｅｎｔｉｆｉｃａｔｉｏｎ）タグを用いて喫煙に関する情報を収集する方法に適用して好適なものである。
【背景技術】
【０００２】
世の中では、健康への害やマナーなどの面から喫煙を控える傾向に向かっており、例えば、日本の喫煙率は、２００２年日本タバコ産業の調査では、男性が４９．１％、女性が１４．０％であり、全体で３０．９％となっている。
また、例えば、特許文献１には、コンビニエンスストアなどのトイレで隠れて喫煙が行われることを防止するため、人体から放射される赤外線は感知することなく、タバコの火から放射される赤外線を感知することで警報を発するタバコ感知器が開示されている。
【特許文献１】特開２０００−４８２７５号公報
【発明の開示】
【発明が解決しようとする課題】
【０００３】
しかしながら、近年喫煙を控える傾向に向かってはいるものの、依然として喫煙を止めることができない者もおり、喫煙率は決して低いとは言えない。
また、特許文献１に開示された方法では、喫煙を検知した時に単に警報を発するのみで、喫煙者に禁煙を促したり、健康管理に関する情報を喫煙者に的確に知らせたりすることができず、喫煙率の低下にはほとんど寄与しないという問題があった。
【０００４】
そこで、本発明の目的は、喫煙時に喫煙に関する情報を喫煙者に的確に提示することが可能なタバコ、ライター、シガレットホルダおよび喫煙情報提示システムを提供することである。
【課題を解決するための手段】
【０００５】
上述した課題を解決するために、本発明の一態様に係るタバコによれば、タバコに関する情報が登録されたＲＦ−ＩＤタグが少なくとも先端の近傍に取り付けられていることを特徴とする。
これにより、現在喫煙されているタバコからそのタバコに関する情報を取得することが可能となるとともに、そのタバコに関する様々の情報をタバコに持たせることが可能となる。このため、喫煙時に喫煙に関する情報を喫煙者に的確に提示することが可能となり、喫煙者に禁煙を促したり、喫煙者の健康管理に役立てたりすることができる。
【０００６】
また、本発明の一態様に係るタバコによれば、先端または先端の近傍に取り付けられ、タバコに関する情報が登録された第１のＲＦ−ＩＤタグと、前記第１のＲＦ−ＩＤタグから長手方向に間隔を空けて取り付けられ、前記タバコに関する情報が登録された第２のＲＦ−ＩＤタグとを備えることを特徴とする。
これにより、第１のＲＦ−ＩＤタグが燃え尽きて通信が不能となったかどうかを判定することで、第２のＲＦ−ＩＤタグとの通信を可能としつつ、喫煙開始を正確に認識することが可能となるとともに、現在喫煙に供されているタバコに関する様々の情報をタバコに持たせることが可能となる。このため、喫煙時に喫煙に関する情報を喫煙者に的確に提示することが可能となり、喫煙者に禁煙を促したり、喫煙者の健康管理に役立てたりすることができる。
【０００７】
また、本発明の一態様に係るライターによれば、タバコに着火する着火部と、前記着火部の起動状態に基づいてＲＦ−ＩＤタグの情報を読み取るＲＦ−ＩＤタグリーダと、前記ＲＦ−ＩＤタグリーダにより読み取られた情報を表示する表示部とを備えることを特徴とする。
これにより、現在喫煙に供されているタバコに取り付けられたＲＦ−ＩＤタグから、そのタバコに関する様々の情報を取得することが可能となるとともに、喫煙時に喫煙に関する情報を喫煙者に的確に提示することが可能となり、現在喫煙している喫煙者に禁煙を促したり、喫煙者の健康管理に役立てたりすることができる。
【０００８】
また、本発明の一態様に係るライターによれば、前記ＲＦ−ＩＤタグの情報の読み取りが可能かどうかの判定結果に基づいて、前記表示部に表示される情報を制御する制御部を備えることを特徴とする。
これにより、ＲＦ−ＩＤタグが燃え尽きたかどうかを判断することができ、実際に喫煙が行われているかどうかを認識することが可能となる。このため、タバコの消費量や喫煙量などを精度よく算出することが可能となり、喫煙による健康への害を喫煙者に具体的に知らせることを可能として、喫煙者の禁煙への意識を向上させることが可能となる。
【０００９】
また、本発明の一態様に係るライターによれば、タバコに着火する着火部と、前記着火部の起動に基づいてＲＦ−ＩＤタグの情報を読み取るＲＦ−ＩＤタグリーダと、前記ＲＦ−ＩＤタグリーダにより読み取られた情報を転送する無線通信部とを備えることを特徴とする。
これにより、現在喫煙に供されているタバコに取り付けられたＲＦ−ＩＤタグから、そのタバコに関する様々の情報を取得することが可能となり、ライターの負担を抑制しつつ、現在喫煙している喫煙者に禁煙を促したり、喫煙者の健康管理に役立てたりすることができる。
【００１０】
また、本発明の一態様に係るライターによれば、前記ＲＦ−ＩＤタグの情報の読み取りが可能かどうかの判定結果に基づいて、前記無線通信部により転送される情報を制御する制御部を備えることを特徴とする。
これにより、ＲＦ−ＩＤタグが燃え尽きたかどうかを判断することができ、実際に喫煙が行われているかどうかを認識することが可能となるとともに、喫煙者が意識することなく、その喫煙者の喫煙に関する正確な情報を蓄積することが可能となる。このため、タバコの消費量や喫煙量などを精度よく算出することが可能となり、喫煙による健康への害を喫煙者に具体的に知らせることを可能として、喫煙者の禁煙への意識を向上させることが可能となるとともに、喫煙者の健康管理を正確に行うことができる。
【００１１】
また、本発明の一態様に係るシガレットホルダによれば、タバコに関する情報を書き込み可能なＲＦ−ＩＤタグが取り付けられていることを特徴とする。
これにより、自分が喫煙するタバコの情報をＲＦ−ＩＤタグに登録することが可能となり、１回の喫煙ごとにＲＦ−ＩＤタグが廃棄されることを防止しつつ、現在喫煙されているタバコを保持しているシガレットホルダからそのタバコに関する情報を取得することが可能となる。このため、ＲＦ−ＩＤタグをタバコに取り付けることなく、喫煙時に喫煙に関する情報を喫煙者に的確に提示することが可能となり、タバコのコストを増加させることなく、喫煙者に禁煙を促したり、喫煙者の健康管理に役立てたりすることができる。
【００１２】
また、本発明の一態様に係る喫煙情報提示システムによれば、タバコの先端に取り付けられ、前記タバコに関する情報が登録された第１のＲＦ−ＩＤタグと、前記タバコの後端近傍またはフィルタ部分に取り付けられ、前記タバコに関する情報が登録された第２のＲＦ−ＩＤタグと、前記第１のＲＦ−ＩＤタグとの通信状態に基づいて前記タバコの喫煙開始を判定する制御部と、前記喫煙開始と判定された時に、前記第２のＲＦ−ＩＤタグから読み取られた情報に基づいて喫煙情報を提示する提示部とを備えることを特徴とする。
【００１３】
これにより、喫煙開始を正確に認識することが可能となるとともに、現在喫煙に供されているタバコに関する様々の情報をタバコに持たせることが可能となり、喫煙時に喫煙に関する情報を喫煙者に的確に提示することが可能となる。
また、本発明の一態様に係る喫煙情報提示システムによれば、タバコの先端に取り付けられ、前記タバコに関する情報が登録された第１のＲＦ−ＩＤタグと、前記タバコの後端近傍またはフィルタ部分に取り付けられ、前記タバコに関する情報が登録された第２のＲＦ−ＩＤタグと、前記第１のＲＦ−ＩＤタグとの通信状態に基づいて前記タバコの喫煙開始を判定する制御部と、前記喫煙開始と判定された時に、前記第２のＲＦ−ＩＤタグから読み取られた情報を無線通信により転送する転送部と、前記転送部から転送された情報に基づいて喫煙情報を提示する提示部とを備えることを特徴とする。
【００１４】
これにより、喫煙開始を正確に判断することを可能としつつ、現在喫煙に供されているタバコに関する様々の情報をタバコに持たせることが可能となるとともに、ライターの負担を抑制しつつ、喫煙時に喫煙に関する情報を喫煙者に的確に提示することが可能となる。
また、本発明の一態様に係る喫煙情報提示システムによれば、タバコに関する情報を登録可能なＲＦ−ＩＤタグが取り付けられたシガレットホルダと、着火時に前記ＲＦ−ＩＤタグから取得したタバコに関する情報を表示可能なライターとを備えることを特徴とする。
【００１５】
これにより、ＲＦ−ＩＤタグをタバコに取り付けることなく、喫煙時に喫煙に関する情報を喫煙者に的確に提示することが可能となり、タバコのコストを増加させることなく、喫煙者に禁煙を促したり、喫煙者の健康管理に役立てたりすることができる。
【発明を実施するための最良の形態】
【００１６】
以下、本発明の実施形態に係る喫煙情報提示システムについて図面を参照しながら説明する。
図１は、本発明の第１実施形態に係るタバコの構成を示す斜視図である。
図１において、タバコ１にはフィルタ２が設けられ、タバコ１の先端付近にはＲＦ−ＩＤ（Ｒａｄｉｏ  Ｆｒｅｑｕｅｎｃｙ  Ｉｄｅｎｔｉｆｉｃａｔｉｏｎ）タグ３が取り付けられるとともに、フィルタ２にはＲＦ−ＩＤタグ４が取り付けられている。なお、ＲＦ−ＩＤタグ３の取り付け位置は、一回の喫煙でＲＦ−ＩＤタグ３が燃え尽きるように設定することができる。また、ＲＦ−ＩＤタグ４の取り付け位置は、フィルタ２以外にも、一回の喫煙で燃え尽きることがないように設定することができ、例えば、タバコ１の後端近傍に取り付けるようにしてもよい。
【００１７】
ここで、ＲＦ−ＩＤタグ３、４には、タバコ１に関する情報がそれぞれ登録されている。例えば、ＲＦ−ＩＤタグ３、４に登録されるタバコ１に関する情報として、個々のタバコ１を識別するＩＤ情報、タバコ１の銘柄、タバコ１の値段、タバコ１に含まれるタール量、タバコ１に含まれるニコチン量および自己のＲＦ−ＩＤタグ３、４の取り付け場所などを挙げることができる。
【００１８】
なお、ＲＦ−ＩＤタグ３、４にそれぞれ登録されるＩＤ情報は、個々のタバコ１に固有に設定することができる。すなわち、同一のタバコ１に取り付けられたＲＦ−ＩＤタグ３、４のＩＤ情報は互いに一致させるとともに、異なるタバコ１に取り付けられたＲＦ−ＩＤタグ３、４のＩＤ情報は異なるように設定することができる。
また、ＲＦ−ＩＤタグ３、４としては、例えば、交信距離が数ｍｍ〜数１０ｃｍの近接型のものを用いることができる。この近接型ＲＦ−ＩＤの国際規格では、ＩＳＯ／ＩＥＣ  １４４４３に分類され、ｐｒｏｘｉｍｉｔｙとも呼ばれる。また、電磁誘導方式を用いて通信を行い、交信周波数は１３．５６ＭＨｚである。
【００１９】
そして、ＲＦ−ＩＤタグ３、４に登録された情報をＲＦ−ＩＤタグリーダにて読み出すことにより、タバコ１に関する情報を取得することができる。
また、互いに間隔が隔てられるようにして２個のＲＦ−ＩＤタグ３、４をタバコ１に取り付けることで、ＲＦ−ＩＤタグ４よりも先にＲＦ−ＩＤタグ３を燃え尽きさせることが可能となり、ＲＦ−ＩＤタグ４との通信を可能としつつ、ＲＦ−ＩＤタグ３を通信不能とすることができる。
【００２０】
このため、ＲＦ−ＩＤタグ３との通信が可能かどうかを判定することにより、ＲＦ−ＩＤタグ４からタバコ１に関する情報を取得することを可能としつつ、喫煙開始を正確に判断することが可能となるとともに、現在喫煙に供されているタバコ１に関する様々の情報をタバコ１に持たせることが可能となる。このため、喫煙時に喫煙に関する情報を喫煙者に的確に提示することが可能となり、喫煙者に禁煙を促したり、喫煙者の健康管理に役立てたりすることができる。
【００２１】
なお、ＲＦ−ＩＤタグ３の取り付け位置は、一回の喫煙でＲＦ−ＩＤタグ３が燃え尽きる範囲内ならば、先端から離れた位置に設定するようにしてもよい。ここで、ＲＦ−ＩＤタグ３を先端から離れた位置に取り付けることにより、タバコ１に着火された時にＲＦ−ＩＤタグ３が即座に燃え尽きることを防止して、ＲＦ−ＩＤタグ３と通信を行うことが可能となる。このため、タバコ１の着火時に、ＲＦ−ＩＤタグ３からタバコ１に関する情報を取得することが可能となるとともに、ＲＦ−ＩＤタグ３が燃え尽きた時に喫煙が実際に行われていることを正確に認識することが可能となり、ＲＦ−ＩＤタグ３をタバコ１に１個だけ取り付けることで、喫煙時に喫煙に関する情報を喫煙者に的確に提示することが可能となる。
【００２２】
また、ＲＦ−ＩＤタグ３、４は電源を必要とせず、小型・軽量・低価格である。このため、ＲＦ−ＩＤタグ３、４をタバコ１に取り付けた場合においても、ＲＦ−ＩＤタグ３、４が喫煙の邪魔になることを防止することが可能となるとともに、タバコ１のコストアップを抑制することができる。
図２は、本発明の第２実施形態に係るライターの構成を示す側面図およびブロック図である。
【００２３】
図２において、ライター１１には、図１のＲＦ−ＩＤタグ３、４に登録された情報を読み取るＲＦ−ＩＤタグリーダ１３、タバコ１に関する情報などの表示を行う液晶表示部１６、液晶表示部１６の駆動制御を行う液晶制御部１５、ＲＦ−ＩＤタグリーダ１３により読み取られた情報などを記憶するメモリ１７、時間を計時するタイマ１８、タバコ１の喫煙に関するデータを算出する計算部２０、ライター１１を着火させる着火部２１、外部との近距離無線通信を行うＢｌｕｅｔｏｏｔｈＲＦ部１２およびＢｌｕｅｔｏｏｔｈベースバンド部１４、これらの機能を連携させて動作させるための全体的な制御を行う制御部２２並びにこれらの機能の動作させるために必要な電力を供給する電池１９が設けられている。
【００２４】
なお、ＲＦ−ＩＤタグリーダ１３は、図１の複数のＲＦ−ＩＤタグ３、４に同時にアクセスできるようにするため、マルチアクセス方式を採用することが好ましい。また、ＢｌｕｅｔｏｏｔｈＲＦ部１２およびＢｌｕｅｔｏｏｔｈベースバンド部１４の代わりに、ＩｒＤＡやＺｉｇｂｅｅなどのＢｌｕｅｔｏｏｔｈに類する通信規格を用いるようにしてもよい。
【００２５】
ここで、液晶表示部１６をライター１１に設けることにより、ＲＦ−ＩＤタグリーダ１３により読み取られた情報などライター１１に表示させることができる。このため、喫煙者が喫煙を開始したと判断した時に、喫煙による健康への害を喫煙者に即座に知らせることが可能となり、喫煙者の禁煙への意識を向上させることが可能となる。
また、ＢｌｕｅｔｏｏｔｈＲＦ部１２およびＢｌｕｅｔｏｏｔｈベースバンド部１４をライター１１に設けることにより、ＲＦ−ＩＤタグリーダ１３にて読み取られた情報をパーソナルコンピュータやインターネットなどのネットワークに転送することが可能となる。このため、個人の喫煙に関する情報を病院などに送って医師による判断を仰いだり、喫煙に関する情報を多くの人から収集することを可能として、喫煙に関する統計処理を精度よく行うことが可能となる。
【００２６】
なお、ＢｌｕｅｔｏｏｔｈＲＦ部１２およびＢｌｕｅｔｏｏｔｈベースバンド部１４は必ずしもライター１１に設ける必要はなく、ＢｌｕｅｔｏｏｔｈＲＦ部１２およびＢｌｕｅｔｏｏｔｈベースバンド部１４を省略するようにしてもよい。
図３は、本発明の第３実施形態に係る喫煙情報提示方法を示す斜視図である。なお、この第３実施形態に係る喫煙情報提示方法は、タバコ１とライター１１とを組み合わせて電子情報化ツールを構成するようにしたものである。
【００２７】
図３（ａ）において、ライター１１が着火されていない場合、図２のＲＦ−ＩＤタグリーダ１３はオフとなっている。このため、ＲＦ−ＩＤタグリーダ１３は、ＲＦ−ＩＤタグ３、４と通信を行ってない状態となる。
次に、図３（ｂ）に示すように、ライター１１が着火されると、図２の制御部２２はＲＦ−ＩＤタグリーダ１３をオンする。そして、ＲＦ−ＩＤタグリーダ１３がオンされると、ＲＦ−ＩＤタグリーダ１３は、タバコ１に取り付けられたＲＦ−ＩＤタグ３、４と通信を行い、ＲＦ−ＩＤタグ３、４に登録されている情報を読み取る。そして、制御部２２は、ＲＦ−ＩＤタグ３、４に登録されている情報がＲＦ−ＩＤタグリーダ１３にて読み取られると、ＲＦ−ＩＤタグ３、４に登録されているタバコ１に関する情報をメモリ１７に記憶する。
【００２８】
なお、タバコ１に火が付いたために、ＲＦ−ＩＤタグ３に登録されている情報が読み取り不能となった場合、ＲＦ−ＩＤタグリーダ１３は、タバコ１に取り付けられたＲＦ−ＩＤタグ４と通信を行い、タバコ１に関する情報を読み取ることができる。
次に、図３（ｃ）に示すように、ＲＦ−ＩＤタグリーダ１３がＲＦ−ＩＤタグ３、４と通信を行っている間に、ＲＦ−ＩＤタグ３の情報が読み取れなくなった場合、制御部２２は、タバコ１の喫煙によりＲＦ−ＩＤタグ３が燃え尽きたとみなして、タバコ１の喫煙が実際に開始されていると判断する。
【００２９】
そして、タバコ１の喫煙が実際に開始されたと判断された場合、計算部２０は、メモリ１７に蓄積されているタバコ１に関する情報に基づいて、タバコ１を喫煙している喫煙者の喫煙に関するデータを算出し、メモリ１７に記憶させる。なお、喫煙者の喫煙に関するデータとしては、例えば、その日のタバコ１の喫煙本数、これまでに吸ったタバコ１の喫煙本数、これまでにタバコ１に費やした金額、これまでに摂取したタール量およびニコチン量などを挙げることができる。
【００３０】
また、タバコ１の喫煙が実際に開始されたと判断された場合、計算部２０は、喫煙者の喫煙に関するデータに基づいて、喫煙者の健康に関するデータを予測算出し、メモリ１７に記憶させることができる。なお、喫煙者の健康に関するデータとしては、例えば、タバコ１を喫煙している喫煙者の縮むと予測される寿命、喫煙者の残りの寿命、喫煙者の肺がんの増加率、副流煙を排出した量などを挙げることができる。
【００３１】
そして、制御部２２は、喫煙者の喫煙に関するデータや健康に関するデータが計算部２０にて算出されると、それらのデータを液晶表示部１６に表示させることができる。
ここで、喫煙者の喫煙に関するデータや健康に関するデータを液晶表示部１６に表示させることにより、健康被害予想やタバコ１に費やされた金額を喫煙者に知らせることが可能となり、禁煙を促すことができる。
【００３２】
また、喫煙者の喫煙に関するデータがメモリ１７に蓄積されると、ＢｌｕｅｔｏｏｔｈＲＦ部１２およびＢｌｕｅｔｏｏｔｈベースバンド部１４は、そのデータをパーソナルコンピュータなどに転送し、喫煙者の毎日の喫煙パターンなどをグラフ化して表示させたり、個人の健康診断などに使用させたりすることができる。
図４は、本発明の一実施形態に係る喫煙検出時のライターの表示内容を示す側面図である。
【００３３】
図４（ａ）において、タバコ１の喫煙が実際に開始されたと判断された場合、液晶表示部１６には、「寿命が２日短縮されました。」という情報を表示させることができる。
また、図４（ｂ）において、タバコ１の喫煙が実際に開始されたと判断された場合、液晶表示部１６には、「肺がん率が２％増加されました。」という情報を表示させることができる。
【００３４】
ここで、喫煙者が実際に喫煙している時に、喫煙者の縮むと予測される寿命や肺がんの増加率などを液晶表示部１６に表示させることで、喫煙に対する嫌悪感を抱かせることが可能となり、喫煙者の禁煙への意識を向上させることが可能となる。
また、タバコ１の購入時などに、個人を識別するための身分証明書（運転免許証や健康保険証など）の提示を求め、ＲＦ−ＩＤタグ３、４に登録されているＩＤ情報と、個人を識別するためのＩＤ情報とを関連させて記録しておくことにより、タバコ１を購入した本人を特定することが可能となる。このため、タバコ１の吸殻が道路上などに捨てられている場合、その吸殻に残っているＲＦ−ＩＤタグ４のＩＤ情報を調べることにより、タバコ１のポイ捨てを行った本人を特定することができ、ポイ捨てを抑制することができる。
【００３５】
図５は、本発明の第４実施形態に係る喫情報提示方法を示す斜視図、図６は、図５のライターの構成を示すブロック図、図７は、図５の腕時計の構成を示すブロック図、図８は、図５の喫情報提示システムの動作を示すシーケンス図である。なお、この第４実施形態に係る喫煙情報提示方法は、タバコ１とライター３１と腕時計４１とを組み合わせて電子情報化ツールを構成するようにしたものである。
【００３６】
図５（ａ）において、タバコ１の先端付近にはＲＦ−ＩＤタグ３が取り付けられるとともに、フィルタ２にはＲＦ−ＩＤタグ４が取り付けられている。
一方、ライター３１には、図６に示すように、ＲＦ−ＩＤタグ３、４に登録された情報を読み取るＲＦ−ＩＤタグリーダ３３、ＲＦ−ＩＤタグリーダ３３により読み取られた情報などを記憶するメモリ３５、ライター３１を着火させる着火部３６、外部との近距離無線通信を行うＢｌｕｅｔｏｏｔｈＲＦ部３２およびＢｌｕｅｔｏｏｔｈベースバンド部３４、これらの機能を連携させて動作させるための全体的な制御を行う制御部３８並びにこれらの機能の動作させるために必要な電力を供給する電池３７が設けられている。
【００３７】
また、腕時計４１には、図７に示すように、タバコ１に関する情報などの表示を行う液晶表示部４５、液晶表示部４５の駆動制御を行う液晶制御部４４、ライター３１から転送された情報などを記憶するメモリ４６、時間を計時するタイマ４７、タバコ１の喫煙に関するデータを算出する計算部４９、外部との近距離無線通信を行うＢｌｕｅｔｏｏｔｈＲＦ部４２およびＢｌｕｅｔｏｏｔｈベースバンド部４３、これらの機能を連携させて動作させるための全体的な制御を行う制御部４９並びにこれらの機能の動作させるために必要な電力を供給する電池４８が設けられている。
【００３８】
なお、ライター３１の購入時などに、周辺デバイスを探索するＩｎｑｕｉｒｙという手順を用いて、腕時計４１のＢｌｕｅｔｏｏｔｈ  Ｄｅｖｉｃｅ  Ａｄｄｒｅｓｓ（ＢＤ_ＡＤＤＲ）をライター３１に予め登録することができる。
そして、図５（ａ）において、ライター３１が着火されていない場合、図６のＲＦ−ＩＤタグリーダ３３はオフとなっている。このため、ＲＦ−ＩＤタグリーダ３３は、ＲＦ−ＩＤタグ３、４と通信を行ってない状態となる。また、ライター３１のＢｌｕｅｔｏｏｔｈＲＦ部３２およびＢｌｕｅｔｏｏｔｈベースバンド部３４は非通電状態、腕時計４１はスキャン状態となっている、
次に、図５（ｂ）に示すように、ライター３１が着火されると（図８のステップＳ１）、図６の制御部３８は、ＲＦ−ＩＤタグリーダ３３をオンするとともに（図８のステップＳ２）、ＢｌｕｅｔｏｏｔｈＲＦ部３２およびＢｌｕｅｔｏｏｔｈベースバンド部３４を通電状態とする（図８のステップＳ３）。そして、ＲＦ−ＩＤタグリーダ３３がオンされると、ＲＦ−ＩＤタグリーダ３３は、タバコ１に取り付けられたＲＦ−ＩＤタグ３、４と通信を行い、ＲＦ−ＩＤタグ３、４に登録されている情報を読み取る。そして、制御部３２は、ＲＦ−ＩＤタグ３、４に登録されている情報がＲＦ−ＩＤタグリーダ３３にて読み取られると、ＲＦ−ＩＤタグ３、４に登録されているタバコ１に関する情報をメモリ３５に記憶する。
【００３９】
なお、タバコ１に火が付いたために、ＲＦ−ＩＤタグ３に登録されている情報が読み取り不能となった場合、ＲＦ−ＩＤタグリーダ３３は、タバコ１に取り付けられたＲＦ−ＩＤタグ４と通信を行い、タバコ１に関する情報を読み取ることができる。
また、ライター３１が着火されると、腕時計４１のＢＤ_ＡＤＤＲに基づいてライター３１と腕時計４１との間でリンクを張り、ライター３１と腕時計４１との間でコネクション状態を確立する（図８のステップＳ４）。
【００４０】
次に、図５（ｃ）に示すように、ＲＦ−ＩＤタグリーダ３３がＲＦ−ＩＤタグ３、４と通信を行っている間に、ＲＦ−ＩＤタグ３の情報が読み取れなくなった場合、制御部３８は、タバコ１の喫煙によりＲＦ−ＩＤタグ３が燃え尽きたとみなして、タバコ１の喫煙が実際に開始されていると判断する（図８のステップＳ５）。
そして、タバコ１の喫煙が実際に開始されたと判断された場合、制御部３８は、ＲＦ−ＩＤタグリーダ３３にて読み取られたタバコ１に関する情報および喫煙開始を示すフラグをＢｌｕｅｔｏｏｔｈＲＦ部３２およびＢｌｕｅｔｏｏｔｈベースバンド部３４に送る。そして、ＲＦ−ＩＤタグリーダ３３にて読み取られたタバコ１に関する情報および喫煙開始を示すフラグがＢｌｕｅｔｏｏｔｈＲＦ部３２およびＢｌｕｅｔｏｏｔｈベースバンド部３４に送られると、ＲＦ−ＩＤタグリーダ３３をオフする（図８のステップＳ６）。
【００４１】
そして、ＢｌｕｅｔｏｏｔｈＲＦ部３２およびＢｌｕｅｔｏｏｔｈベースバンド部３４は、ＲＦ−ＩＤタグリーダ３３にて読み取られたタバコ１に関する情報および喫煙開始を示すフラグを受け取ると、それらに情報を腕時計４１に転送する。そして、制御部３８は、ＲＦ−ＩＤタグリーダ３３にて読み取られたタバコ１に関する情報および喫煙開始を示すフラグが腕時計４１に転送されると、ＢｌｕｅｔｏｏｔｈＲＦ部３２およびＢｌｕｅｔｏｏｔｈベースバンド部３４を非通電状態とする（図８のステップＳ７）。
【００４２】
そして、腕時計４１は、タバコ１に関する情報および喫煙開始を示すフラグを受け取ると、それらの情報をメモリ４６に記憶する。ここで、喫煙開始を示すフラグをライター３１から腕時計４１に送信することにより、タバコ１の喫煙開始を腕時計４１側で認識することが可能となる。
そして、タバコ１の喫煙が実際に開始されたと判断された場合、計算部４９は、メモリ４６に蓄積されているタバコ１に関する情報に基づいて、タバコ１を喫煙している喫煙者の喫煙に関するデータを算出し、メモリ４６に記憶させる（図８のステップＳ８）。なお、喫煙者の喫煙に関するデータとしては、例えば、喫煙日時、その日のタバコ１の喫煙本数、これまでに吸ったタバコ１の喫煙本数、これまでにタバコ１に費やした金額、今回摂取したタール量およびニコチン量、これまでに摂取したタール量およびニコチン量などを挙げることができる。
【００４３】
また、タバコ１の喫煙が実際に開始されたと判断された場合、計算部４９は、喫煙者の喫煙に関するデータに基づいて、喫煙者の健康に関するデータを予測算出し、メモリ４７に記憶させることができる。なお、喫煙者の健康に関するデータとしては、例えば、タバコ１を喫煙している喫煙者の縮むと予測される寿命、残り寿命、副流煙を排出した量、肺がんの増加率などを挙げることができる。
【００４４】
そして、制御部５０は、喫煙者の喫煙に関するデータや健康に関するデータが計算部４９にて算出されると、それらのデータを液晶表示部４５に表示させることができる（図８のステップＳ９）。
また、喫煙者の喫煙に関するデータがメモリ４６に蓄積されると、ＢｌｕｅｔｏｏｔｈＲＦ部４２およびＢｌｕｅｔｏｏｔｈベースバンド部４３は、そのデータをパーソナルコンピュータなどに転送し、喫煙者の毎日の喫煙パターンなどをグラフ化して表示させたり、個人の健康診断などに使用させたりすることができる。
【００４５】
これにより、ＲＦ−ＩＤタグ３が燃え尽きたかどうかを判断することができ、実際に喫煙が行われているかどうかを認識することが可能となるとともに、喫煙者が意識することなく、その喫煙者の喫煙に関する正確な情報を蓄積することが可能となる。このため、タバコ１の消費量や喫煙量などを精度よく算出することが可能となり、喫煙による健康への害を喫煙者に具体的に知らせることを可能として、喫煙者の禁煙への意識を向上させることが可能となるとともに、喫煙者の健康管理を正確に行うことができる。
【００４６】
また、タバコ１とライター３１と腕時計４１とを組み合わせて電子情報化ツールを構成することにより、ライター３１を媒介手段として用いることが可能となる。このため、喫煙による健康への害を喫煙者に知らせるために、液晶表示部４５や計算部４９などをライター３１に持たせる必要がなくなり、ライター３１の構成を簡略化することができる。
また、腕時計４１のＢＤ_ＡＤＤＲをライター３１に予め登録することにより、ライター３１と腕時計４１との間でコネクション状態を容易に確立することが可能となり、転送時間を短縮することができる。
【００４７】
図９は、本発明の第５実施形態に係る喫情報提示方法を示す斜視図である。なお、この第５実施形態に係る喫煙情報提示方法は、シガレットホルダ５２とライター５４とを組み合わせて電子情報化ツールを構成するようにしたものである。
図９（ａ）において、シガレットホルダ５２にはＲＦ−ＩＤタグ５３が取り付けられている。ここで、ＲＦ−ＩＤタグ５３には不揮発性記憶装置が内蔵され、自分が愛用しているタバコ５１に関する情報を登録することができる。例えば、ＲＦ−ＩＤタグ５３に登録するタバコ５１に関する情報として、個々のタバコ５１を識別するＩＤ情報、タバコ５１の銘柄、タバコ５１の値段、タバコ５１に含まれるタール量、タバコ５１に含まれるニコチン量などを挙げることができる。
【００４８】
一方、ライター５４には、ＲＦ−ＩＤタグ５３に登録された情報を読み取るＲＦ−ＩＤタグリーダ６２、タバコ５１に関する情報などの表示を行う液晶表示部６４、液晶表示部６４の駆動制御を行う液晶制御部６３、ＲＦ−ＩＤタグリーダ６２により読み取られた情報などを記憶するメモリ６１、時間を計時するタイマ６６、タバコ５１の喫煙に関するデータを算出する計算部６８、ライター５４を着火させる着火部６７、これらの機能を連携させて動作させるための全体的な制御を行う制御部６９並びにこれらの機能の動作させるために必要な電力を供給する電池６５が設けられている。なお、外部との近距離無線通信を行うＢｌｕｅｔｏｏｔｈＲＦ部およびＢｌｕｅｔｏｏｔｈベースバンド部をライター５４に設けるようにしてもよい。
【００４９】
そして、図９（ａ）において、ライター５４が着火されていない場合、ＲＦ−ＩＤタグリーダ６２はオフとなっている。このため、ＲＦ−ＩＤタグリーダ６２は、ＲＦ−ＩＤタグ５３と通信を行ってない状態となる。
次に、図９（ｂ）に示すように、タバコ５１がシガレットホルダ５２に保持され、ライター５４が着火されると、制御部６９はＲＦ−ＩＤタグリーダ６２をオンする。そして、ＲＦ−ＩＤタグリーダ６２がオンされると、ＲＦ−ＩＤタグリーダ６２は、シガレットホルダ５２に取り付けられたＲＦ−ＩＤタグ５３と通信を行い、ＲＦ−ＩＤタグ５３に登録されている情報を読み取る。そして、制御部６９は、ＲＦ−ＩＤタグ５３に登録されている情報がＲＦ−ＩＤタグリーダ６２にて読み取られると、ＲＦ−ＩＤタグ５３に登録されているタバコ５１に関する情報をメモリ６１に記憶する。
【００５０】
そして、計算部６８は、メモリ６１に蓄積されているタバコ５１に関する情報に基づいて、タバコ５１を喫煙している喫煙者の喫煙に関するデータを算出し、メモリ６１に記憶させる。なお、喫煙者の喫煙に関するデータとしては、例えば、その日のタバコ５１の喫煙本数、これまでに吸ったタバコ５１の喫煙本数、これまでにタバコ５１に費やした金額、これまでに摂取したタール量およびニコチン量などを挙げることができる。
【００５１】
また、計算部６８は、喫煙者の喫煙に関するデータに基づいて、喫煙者の健康に関するデータを予測算出し、メモリ６１に記憶させることができる。なお、喫煙者の健康に関するデータとしては、例えば、タバコ５１を喫煙している喫煙者の縮むと予測される寿命、残り寿命、肺がんの増加率、副流煙を排出した量などを挙げることができる。
そして、制御部６９は、喫煙者の喫煙に関するデータや健康に関するデータが計算部６８にて算出されると、それらのデータを液晶表示部６４に表示させることができる。
【００５２】
これにより、自分が喫煙するタバコ５１の情報をＲＦ−ＩＤタグ５３に登録することが可能となり、１回の喫煙ごとにＲＦ−ＩＤタグ５３が廃棄されることを防止しつつ、現在喫煙されているタバコ５１を保持しているシガレットホルダ５２からそのタバコ５１に関する情報を取得することが可能となる。このため、ＲＦ−ＩＤタグ５３をタバコ５１に取り付けることなく、喫煙時に喫煙に関する情報を喫煙者に的確に提示することが可能となり、タバコ５１のコストを増加させることなく、喫煙者に禁煙を促したり、喫煙者の健康管理に役立てたりすることができる。
【００５３】
なお、図１のタバコ１および図２のライター１１に無線機能搭載ＩＤカードを加えた電子情報化ツールを構成することにより、喫煙者が喫煙所に滞在している時間を知ることができる。このため、タバコ１の喫煙を行っている時間を就業時間から差し引くシステムを構築することが可能となり、会社などでの喫煙者の業務管理を厳格に行うことが可能となる。
【００５４】
また、図１のタバコ１のＲＦ−ＩＤタグ３、４に登録された情報を読み取ることで、タバコ１が近くにあるかどうかを判断することが可能となるとともに、ＲＦ−ＩＤタグ３に登録された情報が読み取り可能かどうかを判定することで、タバコ１が燃えているかどうかを判断することができる。
このため、タバコ１の喫煙が開始された場合、ライター１１のＢｌｕｅｔｏｏｔｈＲＦ部１２およびＢｌｕｅｔｏｏｔｈベースバンド部１４を介してリモートコントロールにより空気清浄機や換気扇をオンすることにより、換気を迅速に行うことが可能となり、副流煙による間接喫煙の害を抑制することができる。
【００５５】
ここで、空気清浄機をオンするために人感センサを用いる方法では、人が近くに居れば喫煙しなくても換気されるので、余計な電力が消費される。これに対して、図１のタバコ１および図２のライター１１を用いる方法では、タバコ１の喫煙が開始されないと、換気されないようにすることができるので、低消費電力化を図ることができる。
また、空気清浄機をオンするために煙センサを用いる方法では、煙が煙センサまで到達し、空気清浄機がオンされるまでには時間がかかるので、換気が開始されるまでにはタイムラグが発生する。これに対して、図１のタバコ１および図２のライター１１を用いる方法では、タバコ１の喫煙が開始されると、換気を即座に開始させることができるので、換気が開始されるまでのタイムラグを減らすことができる。
【図面の簡単な説明】
【００５６】
【図１】本発明の第１実施形態に係るタバコの構成を示す斜視図。
【図２】本発明の第２実施形態に係るライターの構成を示す側面図とブロック図。
【図３】本発明の第３実施形態に係る喫煙情報提示方法を示す斜視図。
【図４】喫煙検出時のライターの表示内容を示す側面図。
【図５】本発明の第４実施形態に係る喫情報提示方法を示す斜視図。
【図６】図５のライターの構成を示すブロック図。
【図７】図５の腕時計の構成を示すブロック図。
【図８】図５の喫情報提示システムの動作を示すシーケンス図。
【図９】本発明の第５実施形態に係る喫情報提示方法を示す斜視図。
【符号の説明】
【００５７】
１、５１  タバコ、２  フィルタ、３、４、６２  ＲＦ−ＩＤタグ、１１、３１、５４  ライター、１２、３２、４３  ＢｌｕｅｔｏｏｔｈＲＦ部、１３、３３  ＲＦ−ＩＤタグリーダ、１４、３４、４２  Ｂｌｕｅｔｏｏｔｈベースバンド部、１５、４４、６３  液晶制御部、１６、４５、５５、６４  液晶表示部、１７、３５、４６、６１  メモリ、１８、４７、６６  タイマ、１９、３７、４８、６５  電池、２０、４９、６８  計算部、２１、３６、５６。６７  着火部、２２、３８、５０。６９  制御部、４１  腕時計、５２  シガレットホルダ
【図１】
2005198538.tif 000003
【図２】
2005198538.tif 000004
【図３】
2005198538.tif 000005
【図４】
2005198538.tif 000006
【図５】
2005198538.tif 000007
【図６】
2005198538.tif 000008
【図７】
2005198538.tif 000009
【図８】
2005198538.tif 000010
【図９】
2005198538.tif 000011